(57)【特許請求の範囲】
【請求項１】
電子装置中に運用される非接触式外部データ取得方法であって、
前記非接触式外部データ取得方法は、
（a）非接触方式で、外部メッセージを読み取るステップと、
（b）前記外部メッセージ中に外部装置のＭＡＣアドレスが含まれるか否かを判断するステップと、
（c）前記外部メッセージ中に、前記外部装置のＭＡＣアドレスが含まれる場合、前記電子装置は、前記ＭＡＣアドレスにより、前記外部装置とBluetooth（登録商標）接続を自動的に確立するステップと、
（d）Bluetooth（登録商標）接続を確立した後、前記外部装置に必要とするデータを請求するステップと、
（e）前記外部装置からBluetooth（登録商標）接続により伝送された前記データを前記電子装置中に一時的に保存するステップと、を含むことを特徴とする外部データ取得方法。
【請求項２】
前記（d）は、
（d１）Bluetooth（登録商標）接続を確立した後、前記外部メッセージ中から前記外部装置の機種コードを取得するステップと、
（d２）前記機種コードから前記外部装置の種類を判断するステップと、
（d３）前記外部装置の種類に基づき、対応する通信プロトコルを起動し、前記外部装置とコミュニケーションを行うステップと、をさらに含むことを特徴とする請求項１に記載の外部データ取得方法。
【請求項３】
前記（e）は、
（e１）前記外部装置の種類に基づき、対応するデータ記録ページを開くステップと、
（e２）前記データを前記データ記録ページ中の対応するフィールドに記入し、一時的に保存するステップと、さらに含むことを特徴とする請求項２に記載の外部データ取得方法。
【請求項４】
前記外部メッセージは、前記外部装置の前記ＭＡＣアドレスと前記機種コードとを符号化したバーコードデータであり、前記（a）中、前記電子装置のバーコード読取ユニットを介し、前記バーコードデータを読み取ることを特徴とする請求項２に記載の外部データ取得方法。
【請求項５】
前記外部メッセージは、前記外部装置の前記ＭＡＣアドレスと前記機種コードとを符号化したものであり、ＲＦＩＤタグ中に記録され、前記（a）中、前記電子装置のＲＦ読取ユニットを介し、前記ＲＦＩＤタグを非接触式式で外部メッセージを読み取ることにより、前記外部メッセージを取得することを特徴とする請求項２に記載の外部データ取得方法。
【請求項６】
前記外部データ取得方法は、
（f）前記電子装置が少なくとも１つの身分ＩＤを提供し、前記身分ＩＤを選択させるステップと、
（g）前記電子装置中に一時的に保存された前記データと前記選択された身分ＩＤとに相関関係を持たせることにより、前記データが前記身分ＩＤの所有者に属することが示されるステップと、をさらに含むことを特徴とする請求項２に記載の外部データ取得方法。
【請求項７】
前記外部データ取得方法は、
（h）前記外部メッセージ中に前記外部装置のＭＡＣアドレスが含まれない場合、前記外部メッセージに身分ＩＤが含まれるか否かを判断するステップと、
（i）前記外部メッセージに前記身分ＩＤが含まれる場合、前記電子装置中に一時的に保存されたデータと前記身分ＩＤとに相関関係を持たせることにより、前記データが前記身分ＩＤの所有者に属することが示されるステップと、をさらに含むことを特徴とする請求項２に記載の外部データ取得方法。
【請求項８】
前記（c）は、
（c１）前記外部装置のＭＡＣアドレスに基づき、前記外部装置とBluetooth（登録商標）のペアリングを自動的に行うステップと、
（c２）ペアリングに成功すると、前記電子装置中に保存された前記外部装置の識別コードを自動的に入力するステップと、
（c３）前記識別コードの照合に成功すると、前記外部装置とBluetooth（登録商標）接続を確立するステップと、をさらに含むことを特徴とする請求項１に記載の外部データ取得方法。
【請求項９】
外部装置とBluetooth（登録商標）接続を確立し、前記外部装置に対し、必要とするデータを請求する電子装置であって、
前記電子装置は、
マイクロコントロールユニットと、
前記マイクロコントロールユニットと電気的に接続され、外部メッセージを非接触方式で読み取るために用いられる非接触式読取ユニットと、
前記マイクロコントロールユニットと電気的に接続されるBluetooth（登録商標）通信ユニットと、を備え、
前記マイクロコントロールユニットは、前記外部メッセージから、前記外部装置のＭＡＣアドレス及び機種コードを識別し、前記Bluetooth（登録商標）通信ユニットを制御して起動し、前記ＭＡＣアドレスに基づき、前記外部装置とBluetooth（登録商標）接続を自動的に確立し、前記機種コードに基づき、前記外部装置の種類を判別し、対応する通信プロトコルにより、前記外部装置に必要とする前記データを請求することを特徴とする電子装置。
【請求項１０】
前記外部メッセージは、分離符号をさらに有し、前記マイクロコントロールユニットは、前記分離符号により、前記外部メッセージ中の前記ＭＡＣアドレスと前記機種コードとを区分することを特徴とする請求項９に記載の電子装置。
【請求項１１】
前記マイクロコントロールユニットと電気的に接続されるメモリユニット及び表示モニタをさらに備え、
前記メモリユニットには、少なくとも１つのデータ記録ページが保存され、前記電子装置が前記外部装置から必要とする前記データを取得すると、前記マイクロコントロールユニットは、前記外部装置の種類に基づき、対応する前記データ記録ページを開き、前記データ記録ページ中の対応するフィールドに前記データを記入する上、前記表示モニタ上に表示することを特徴とする請求項９に記載の電子装置。
【請求項１２】
前記メモリユニットには、複数の身分ＩＤがさらに保存され、前記複数の身分ＩＤ中の１つが選出されると、前記マイクロコントロールユニットが前記データと前記選出された身分ＩＤとに相関関係を持たせることにより、前記データが前記身分ＩＤの所有者に属することが示されることを特徴とする請求項１１に記載の電子装置。
【請求項１３】
前記非接触式読取ユニットは、バーコード読取ユニットであり、前記外部メッセージは、前記外部装置の前記ＭＡＣアドレスと前記機種コードとを符号化したバーコードデータであることを特徴とする請求項９に記載の電子装置。
【請求項１４】
前記非接触式読取ユニットは、ＲＦ読取ユニットであり、前記外部メッセージは、前記外部装置の前記ＭＡＣアドレスと前記機種コードとを符号化したものであり、前記外部メッセージは、ＲＦＩＤタグ中に記録されることを特徴とする請求項９に記載の電子装置。
【請求項１５】
電子装置に保存されるアプリケーションプログラムであって、前記アプリケーションプログラムには、前記電子装置に実行可能なプログラムコードが記録され、前記電子装置に前記アプリケーションプログラムがロードされ、実行されると、非接触式外部データ取得方法が実行され、外部装置中のデータが非接触式で取得され、
前記非接触式外部データ取得方法は、
（a）非接触方式で、外部メッセージを読み取るステップと、
（b）前記外部メッセージ中から前記外部装置のＭＡＣアドレスを取得するステップと、
（c）前記ＭＡＣアドレスにより、前記外部装置とBluetooth（登録商標）のペアリングを自動的に行う上、Bluetooth（登録商標）接続を確立するステップと、
（d）前記外部メッセージから前記外部装置の機種コードを取得するステップと、
（e）前記機種コードに基づき、前記外部装置の種類を判断するステップと、
（f）前記外部装置の種類に基づき、対応する通信プロトコルを起動し、前記外部装置とコミュニケーションを行うステップと、
（g）前記外部装置に対し、必要とするデータを請求するステップと、
（h）前記外部装置の種類に基づき、対応するデータ記録ページを開くステップと、
（i）前記外部装置から伝送されたデータを前記データ記録ページ中の対応するフィールドに記入するステップと、を含むことを特徴とするアプリケーションプログラム。
【発明の詳細な説明】
【技術分野】
【０００１】
本発明は、データ取得方法に関し、特に、電子装置にBluetooth(登録商標）通信を自動で行わせることにより、外部データを迅速に取得することができる非接触式外部データ取得方法に関する。
【背景技術】
【０００２】
現在、市場において見られる多くの電子装置は、データを測定し、記録するために用いられる。図１は、従来の血圧計を示す斜視図である。図２は、従来の電力メータを示す斜視図である。
【０００３】
一般に、血圧計１は、ユーザ自身の収縮期血圧(Systolic blood pressure)、拡張期血圧(Diastolic blood pressure)、脈拍(Pulse)などのデータを測定するために用いられる。測定されたデータは、血圧計１のモニタ１１上に表示される。ユーザは、モニタ１１を介して上述の測定データを知り、それらのデータを書き写して記録することができる。また、電力メータ２は、ユーザの住宅内の総電力使用量を測定するために用いられる。測定されたデータは、電力メータ２上の文字盤２１上に表示される。ユーザは、文字盤２１を介して電力使用量を知ることができる。また、電力会社の職員は、文字盤２１上に表示された数字に基づき、電気料金を計算することができる。
【０００４】
しかし、血圧計１を例示すると、医療スタッフは、病院内で血圧計１を使用する場合、患者の血圧を測定した後、測定結果を手書きでカルテ上に記録する。このため、書き間違いなどの人為的ミスが発生する虞がある。また、複数の血圧計１を使用し、複数の患者の血圧データを同時に測定する場合、書き間違いを起こす可能性がさらに高まる。
【０００５】
このため、近年、多くのユニークな測定機具が開発されている。血圧計１を例示すると、Bluetooth（登録商標）通信機能が内蔵された血圧計１が開発されている。これにより、医療スタッフが血圧計１を使用して患者の血圧を測定した後、ＰＤＡ（Personal Digital Assistant）などの携帯型装置を血圧計１とBluetooth(登録商標）接続することにより、血圧計１が測定した血圧データを非接触式で取得することができる。これにより、書き間違いなどの人為的ミスを防止することができる。
【０００６】
しかし、２つの装置間をBluetooth（登録商標）接続する工程は、以下（１）〜（７）に示すステップを実行しなければならないため、非常に面倒である。
【０００７】
（１）ユーザがＰＤＡのBluetooth（登録商標）通信機能を手動で起動する。（２）ユーザがＰＤＡを操作して付近に存在するBluetooth(登録商標）通信機能を有する電子装置を検索する。（３）ＰＤＡに付近に存在するすべてのBluetooth（登録商標）接続可能な装置のリストが表示され、ユーザに選択させる。（４）ユーザがリスト中から接続対象の血圧計１の装置名及びシリアル番号を識別し、接続対象として血圧計１を選択する。（５）ＰＤＡと選択した血圧計１とを接続する。（６）接続に成功した後、ＰＤＡが血圧計１から血圧データを取得する。（７）取得したデータをユーザがＰＤＡ上の対応するフィールドに記入する。
【０００８】
上述の内容から分かるように、Bluetooth（登録商標）接続を確立するには、ユーザが多くのステップを手動で行う必要があり、非常に面倒である。また、仮に、医療スタッフが１０台の同一の血圧計を同時に使用して複数の患者の血圧データを測定する場合、ＰＤＡに表示される付近に存在するBluetooth（登録商標）接続が可能な装置のリストには、１０個の同一の装置名及びシリアル番号が表示される。この場合、どの装置がどの血圧計に対応しているかを確認することは、非常に困難であり、血圧計を誤って選択し、患者のデータを記録ミスしてしまう虞がある。即ち、Bluetooth（登録商標）通信によって測定データを伝送する方法は、ユーザに利便性を提供するどころか、大きな問題が発生する虞がある。
【０００９】
そこで、ユーザがBluetooth（登録商標）通信によって外部のデータを簡単に取得することができ、煩雑な手動による操作が必要ない上、データを書き間違えたり、装置間の接続を誤ったりする問題が発生することがないユニークな方法及びその方法を使用した電子装置が求められていた。
【先行技術文献】
【特許文献】
【００１０】
【特許文献１】特開２０１２−８６００３号公報
【特許文献２】特表２００７−５１９７８４号公報
【特許文献３】特表２００８−５３８９４１号公報
【特許文献４】特開２０１２−５５６７９号公報
【発明の概要】
【発明が解決しようとする課題】
【００１１】
本発明の目的は、電子装置が外部装置とBluetooth（登録商標）接続を自動的に迅速に確立することにより、外部装置内のデータを非接触式で迅速に取得することができる非接触式外部データ取得方法、非接触式外部データ取得電子装置及びそのアプリケーションプログラムを提供することにある。
【課題を解決するための手段】
【００１２】
上述の課題を解決するために、本発明の非接触式外部データ取得方法においては、電子装置が非接触式で外部メッセージを読み取り、読み取った外部メッセージから、外部装置のＭＡＣアドレス（Media Access Control Address)を識別する。次に、電子装置が取得したＭＡＣアドレスにより、外部装置とBluetooth（登録商標）接続を自動的に確立する上、外部装置中から必要なデータを非接触式で取得する。
【発明の効果】
【００１３】
本発明により、ユーザが外部装置中のデータを取得したい場合、Bluetooth（登録商標）通信により、必要なデータを非接触式で迅速に取得することができ、筆記用具を使用して記録する必要がないため、書き間違いなどの人為的ミスが発生しない。
ユーザが電子装置を使用し、外部装置のデータをBluetooth（登録商標）通信によって取得する際、電子装置のBluetooth（登録商標）通信ユニットを手動で起動する必要がない上、複数のBluetooth（登録商標）装置を検索し、接続対象の外部装置を１つ１つ探す必要がない。即ち、冗長な作業ステップが必要ないため、操作時間を短縮できる上、ユーザが手動で操作することによって人為的ミスが発生するのを防止することができる。
【図面の簡単な説明】
【００１４】
【図１】従来の血圧計を示す斜視図である。
【図２】従来の電力メータを示す斜視図である。
【図３】本発明の一実施形態による非接触式外部データ取得電子装置を示すブロック図である。
【図４】本発明の一実施形態によるBluetooth（登録商標）接続を確立する工程を示す流れ図である。
【図５】本発明の一実施形態によるデータ通信を行う工程を示す流れ図である。
【図６】本発明の一実施形態によるデータ間に相関関係を持たせる工程を示す流れ図である。
【図７】本発明の一実施形態によるデータをアップロードする工程を示す流れ図である。
【図８】本発明の第１実施形態によるデータ記録ページを示す平面図である。
【図９】本発明の第２実施形態によるデータ記録ページを示す平面図である。
【図１０】本発明の第３実施形態によるデータ記録ページを示す平面図である。
【図１１】本発明の第４実施形態によるデータ記録ページを示す平面図である。
【図１２】本発明の第１実施形態による外部メッセージを読み取る状態を示す斜視図である。
【図１３】本発明の第２実施形態による外部メッセージを読み取る状態を示す斜視図である。
【図１４】本発明の第３実施形態による外部メッセージを読み取る状態を示す斜視図である。
【図１５】本発明の第４実施形態による外部メッセージを読み取る状態を示す斜視図である。
【図１６】本発明の第５実施形態による外部メッセージを読み取る状態を示す斜視図である。
【図１７】本発明の第６実施形態による外部メッセージを読み取る状態を示す斜視図である。
【図１８】本発明の第７実施形態による外部メッセージを読み取る状態を示す斜視図である。
【図１９】本発明の第８実施形態による外部メッセージを読み取る状態を示す斜視図である。
【図２０】本発明の一実施形態による身分ＩＤを読み取る状態を示す斜視図である。
【発明を実施するための形態】
【００１５】
本発明の目的、特徴および効果を示す実施形態を図面に沿って詳細に説明する。
【００１６】
図３を参照する。図３は、本発明の一実施形態による非接触式外部データ取得電子装置を示すブロック図である。本発明は、主に、内蔵されたアプリケーションプログラムＡ１によって非接触式外部データ取得方法を実行する電子装置３を提供するものである。電子装置３は、表示モニタ３１、非接触式読取ユニット３２、マイクロコントロールユニット３３、Bluetooth（登録商標）通信ユニット３４及びメモリユニット３５を含む。マイクロコントロールユニット３３は、表示モニタ３１、非接触式読取ユニット３２、Bluetooth(登録商標）通信ユニット３４及びメモリユニット３５と電気的に接続される。また、アプリケーションプログラムＡ１は、メモリユニット３５中に保存される。
【００１７】
非接触式読取ユニット３２は、主に、外部メッセージ（例えば、図１２〜図１６中に示す外部メッセージ５１,５３,５４,５６である。以下、外部メッセージ５１と例示して説明を行う）を非接触方式で読み取るために用いられる。ここで、電子装置３は、マイクロコントロールユニット３３と電気的に接続される少なくとも１つの制御ボタン３６を有する。ユーザが制御ボタン３６を押圧すると、非接触式読取ユニット３２が起動し、外部メッセージ５１(図１２)を読み取る。或いは、非接触式読取ユニット３２は、アプリケーションプログラムＡ１が起動されると、自動的に起動し、アプリケーションプログラムＡ１が実行されている期間、背景において常態的に実行されるように設定することができる。この場合、ユーザは、制御ボタン３６を手動で押圧して非接触式読取ユニット３２を起動する必要がない。また、本実施形態中、表示モニタ３１は、タッチモニタでもよく、これにより、表示モニタ３１と制御ボタン３６とを１つに統合することができる。
【００１８】
外部メッセージ５１は、読み取られた後、マイクロコントロールユニット３３に伝送される。マイクロコントロールユニット３３は、先ず、外部メッセージ５１中に外部装置（例えば、図１２中に示す外部装置４）のＭＡＣアドレス（例えば、図１２中に示すＭＡＣアドレス６１）が含まれるか否かを判断する。
【００１９】
Bluetooth（登録商標）通信ユニット３４は、電子装置３に無線通信機能を提供する。マイクロコントロールユニット３３は、外部メッセージ５１中から外部装置４のＭＡＣアドレス６１（具体的に述べると、外部装置４のBluetooth（登録商標）通信ユニット（図示せず）のＭＡＣアドレス）を取得すると、Bluetooth（登録商標）通信ユニット３４を制御して起動する上、取得したＭＡＣアドレス６１に基づき、外部装置４とBluetooth（登録商標）接続を自動的に確立する。ここで、既に内容を知っているＭＡＣアドレス６１によってBluetooth（登録商標）のペアリングが行われるため、電子装置３は、ＭＡＣアドレス６１の所有者である外部装置４に対してのみ、Bluetooth（登録商標）のペアリングを行う。即ち、付近の全てのBluetooth（登録商標）接続が可能な装置を検索し、ユーザに手動で選択させるのではない。即ち、電子装置３は、Bluetooth（登録商標）接続を確立する接続対象が外部装置４であることを明確に認識している。これにより、ユーザが手動で設定したり、選択したりする動作が必要ないため、Bluetooth（登録商標）接続を確立するのに掛かる時間が大幅に短縮される。
【００２０】
ここで、本発明では、Bluetooth（登録商標）接続を例示しているが、本発明には、２台の装置間を迅速に接続可能な何れの通信プロトコルでも適用することができる。例えば、外部メッセージ５１中に外部装置４のＭＡＣアドレス６１が含まれていさえすれば、電子装置３は、外部装置４のＭＡＣアドレス６１を取得した後、ZigBee（登録商標）、Wi−Fi  Direct（登録商標）などの通信プロトコルにより、外部装置４と直接接続することができる。この場合も、周囲の全ての装置を検索し、接続対象を１つ１つ確認する必要がない。
【００２１】
メモリユニット３５中には、表示モニタ３１に表示される少なくとも１つのデータ記録ページP１が保存される。データ記録ページP１上は、主に、外部装置４が処理したデータに対応するフィールド（後述）を有する。電子装置３と外部装置４とがBluetooth（登録商標）接続を確立した後、電子装置３は、外部装置４中から必要とするデータを自動的に取得する上、マイクロコントロールユニット３３が外部装置４の種類に基づき、対応するデータ記録ページP１を開く。次に、開いたデータ記録ページP１中の対応するフィールドに、取得したデータを記入する。これにより、ユーザは、取得したデータを手動で入力する必要がないため、便利である上、データを誤って入力するなどの人為的ミスが発生しない。
【００２２】
図４を続けて参照する。図４は、本発明の一実施形態によるBluetooth（登録商標）接続を確立する工程を示す流れ図である。先ず、電子装置３が非接触式読取ユニット３２を介し、非接触方式で外部メッセージ５１を読み取る（ステップ３０）。次に、マイクロコントロールユニット３３が外部メッセージ５１中に外部装置４のＭＡＣアドレス６１が含まれるか否かを判断する（ステップ３２）。
【００２３】
図１２を同時に参照する。図１２は、本発明の第１実施形態による外部メッセージを読み取る状態を示す斜視図である。本実施形態中、非接触式読取ユニット３２(図３)は、バーコード読取ユニット３２１である。また、外部メッセージ５１は、外部装置４のＭＡＣアドレス６１を含むバーコードデータである。具体的に述べると、本実施形態中、外部メッセージ５１は、外部装置４のＭＡＣアドレス６１と機種コード（Model  Code）６２とを符号化したバーコードデータである。機種コード６２は、電子装置３に外部装置４の種類を判断させるものである（後述）。即ち、上述のステップ３０及びステップ３２は、バーコード読取ユニット３２１がバーコードデータを読み取り、バーコードデータの内容から外部装置４のＭＡＣアドレス６１が含まれるか否かを判断するものである。バーコードデータは、外部装置４のケーシング表面に貼設されるか、或いは、外部装置４のモニタ（図示せず）上に表示される。
【００２４】
ここで、電子装置３上には、フラッシュライトなどの発光ユニット（図示せず）が設置される。電子装置３は、輝度が低すぎるために読取に失敗したと判断すると、発光ユニットを自動的に起動し、輝度を補って読取の成功率を高める。例えば、医療スタッフが暗い病室中で患者の血圧計の数値を読み取りたいが、患者が熟睡中でランプを点灯できないために、電子装置３が血圧計上の外部メッセージ５１を読み取れない場合、電子装置３は、上述の方式によって発光ユニットを自動的に起動し、輝度を補う。
【００２５】
図１３を同時に参照する。図１３は、本発明の第２実施形態による外部メッセージを読み取る状態を示す斜視図である。本実施形態中、非接触式読取ユニット３２は、ＲＦ（Radio  Frequency）読取ユニット３２３であり、外部メッセージ５３は、ＲＦＩＤタグ中に記録される。外部メッセージ５３は、外部装置４のＭＡＣアドレス６１(図１４参照)と機種コード６２(図１４参照)とを符号化したものである。また、ＲＦＩＤタグは、外部装置４内に設置されるか、或いは、外部装置４のケーシング表面に貼設される。
【００２６】
ＲＦ読取ユニット３２３は、電子装置３内に内蔵されるアプリケーションプログラムA１が実行されると、起動される上、ＲＦ信号を発信し続け、電子装置３付近の全てのＲＦＩＤタグを検索する。ユーザが電子装置３を外部装置４に近づけると、ＲＦ読取ユニット３２３は、ＲＦＩＤタグの存在を検出する上、照会した後、ＲＦＩＤタグ内部に記録された外部メッセージ５３を受信する。ここで、ＲＦによって読取を行う場合、上述の他の実施形態のように輝度が低いために読取に失敗するということがなく、当然、発光ユニットを起動して輝度を補う必要がないため、利便性が高い。
【００２７】
ＲＦがBluetooth（登録商標）通信技術と異なる点は、ＲＦは、短距離の通信技術であり、通信範囲が小さいことにある。そのために、ＲＦ読取ユニット３２３が継続して起動されている上、電子装置３の周囲にＲＦＩＤタグが配置された外部装置４が複数存在していても、距離が近くなければ、ＲＦ読取ユニット３２３は、他のＲＦＩＤタグを読み取ることができない。従って、誤って読み取ったり、重複して読み取ったりする問題がない。ここで、本発明には、ＮＦＣ（Near  Field  Communication）、ＺigＢeeなど、如何なる短距離の非接触式通信技術でも運用することができる。本実施形態中においては、ＲＦ技術を例示して説明するが、本発明は、これのみに限定されない。
【００２８】
図１４を同時に参照する。図１４は、本発明の第３実施形態による外部メッセージを読み取る状態を示す斜視図である。本実施形態中、非接触式読取ユニット３２はカメラユニット３２２であり、外部メッセージ５４は、主に、文字メッセージ又は図形メッセージである。上述のステップ３０中、電子装置３は、カメラユニット３２２を介して外部メッセージ５４を取得する（即ち、文字メッセージ又は図形メッセージの画像を取得する）上、マイクロコントロールユニット３３(図３)に伝送する。次に、ステップ３２において、マイクロコントロールユニット３３は、外部メッセージ５４に対して文字認識又は図形認識を行うことにより、外部メッセージ５４に記載されたメッセージ内容を取得し、外部メッセージ５４中に外部装置４のＭＡＣアドレス６１が含まれるか否かを判断する。
【００２９】
図１４に示す実施形態中、外部メッセージ５４には、外部装置４のＭＡＣアドレス６１及び機種コード６２を記載することができる。これにより、マイクロコントロールユニット３３が外部メッセージ５４の文字認識又は図形認識を完了すると、外部装置４のＭＡＣアドレス６１及び機種コード６２を取得することができる。
【００３０】
図１５を参照する。図１５は、本発明の第４実施形態による外部メッセージを読み取る状態を示す斜視図である。本実施形態中、非接触式読取ユニット３２は、カメラユニット３２２(図１４)であり、外部メッセージ５６は、外部装置４のＭＡＣアドレス６１と機種コードとを符号化したＱＲコード（登録商標）である。上述のステップ３０中、電子装置３は、カメラユニット３２２を介してＱＲコード（登録商標）を読み取る上、マイクロコントロールユニット３３に伝送する。次に、ステップ３２中において、マイクロコントロールユニット３３がＱＲコード（登録商標）の内容から、外部装置４のＭＡＣアドレスが含まれるか否かを判断する。
【００３１】
ここで、外部装置４は、電子装置３のBluetooth（登録商標）接続可能範囲内に存在すれば、電子装置３と接続することができる。このため、外部メッセージ５１〜５６は、外部装置４のケーシング表面に必ず貼設する必要がある訳ではない。図１６を参照する。図１６は、本発明の第５実施形態による外部メッセージを読み取る状態を示す斜視図である。例えば、医療スタッフは、複数の外部メッセージが貼設されている情報パネル５６０を携帯することができる（図１６中においては、外部メッセージ５６を例示する）。各外部メッセージ５６には、それぞれ異なる外部装置４のＭＡＣアドレスが記載されている。これにより、医療スタッフが第１の外部装置の情報を読み取りたい場合、電子装置３を使用して情報パネル５６０の第１の外部装置に対応する外部メッセージ５６を読み取れば、第１の外部装置の情報を読み取ることができる。これにより、第１の外部装置（テーブル上、病床上、引出し内、ワゴン上などに放置されているために、探すのに時間が掛かる虞がある）を探す必要がないため、医療スタッフの作業時間を短縮し、負担を軽減することができる。
【００３２】
図１４〜図１６に示す実施形態中、電子装置３上には、上述の発光ユニット（図示せず）を設置することができる。これにより、電子装置３は、輝度が低く、カメラユニット３２２が焦点合わせをスムーズに行うことができないと判断すると、発光ユニットを自動的に起動して輝度を補う。これにより、カメラユニット３２２の画像認識の成功率を高めることができる。
【００３３】
図４に戻る。ステップ３２の後、マイクロコントロールユニット３３が外部メッセージ５１中に外部装置４のＭＡＣアドレス６１が含まれると判断した場合、電子装置３は、マイクロコントロールユニット３３を介し、自身のBluetooth（登録商標）通信ユニット３４が起動しているか否かを判断する（ステップ３４）。Bluetooth（登録商標）通信ユニット３４が起動していない場合、Bluetooth（登録商標）通信ユニット３４を制御して起動する（ステップ３６）。しかし、電子装置３は、Bluetooth（登録商標）通信ユニット３４を常態的に起動した状態に設定することができる。この場合、ステップ３４及びステップ３６を実行しなくてもよい。
【００３４】
上述のステップにおいて、Bluetooth（登録商標）通信ユニット３４が起動したことが確認されると、マイクロコントロールユニット３３は、Bluetooth（登録商標）通信ユニット３４を操作することができるようになり、外部メッセージ５１中のＭＡＣアドレス６１により、外部装置４と直接Bluetooth（登録商標）接続を確立する。具体的に述べると、Bluetooth（登録商標）通信ユニット３４は、先ず、ＭＡＣアドレス６１により、外部装置４とBluetooth（登録商標）のペアリングを行う（ステップ３８）。また、ペアリングに成功すると、接続する前に、外部装置４の識別コードＣ１（PIN  code）を自動的に入力する（ステップ４０）。識別コードC１は、予め、メモリユニット３５中に保存することができ、接続段階になると、電子装置３から自動的に入力される。これにより、接続段階になった際にユーザが手動で入力する必要がない。識別コードＣ１が照合された後、電子装置３は、外部装置４とBluetooth（登録商標）接続を確立することができる（ステップ４２）。
【００３５】
電子装置３と外部装置４とがBluetooth（登録商標）接続を確立した後、電子装置３は、外部装置４に対し、必要とするデータを請求することができる（ステップ４４）。電子装置３が外部装置４から伝送されたデータを取得した後、電子装置３は、外部装置４との接続を切断する（ステップ４６）。また、電子装置３上のBluetooth（登録商標）通信ユニット３４を自動的に終了する（ステップ４８）。これにより、電子装置３は、使い終わった後、他の外部装置のＭＡＣアドレスを迅速に読み取り、他の外部装置とBluetooth（登録商標）接続を迅速に確立するために用いることができる。ここで、ステップ４６及びステップ４８は、必ず実行しなければならない訳ではない。
【００３６】
図５を参照する。図５は、本発明の一実施形態によるデータ通信を行う工程を示す流れ図である。上述のように、電子装置３がステップ４２中において、外部装置４とBluetooth（登録商標）接続を確立し、外部装置４中からデータを取得する際、先ず、外部メッセージ５１中から外部装置４の機種コード６２を取得する（ステップ４４０）。マイクロコントロールユニット３３は、機種コード６２により、外部装置４の種類を判断する（ステップ４４２）。具体的に述べると、機種コード６２により、外部装置４がどんな装置（例えば、血圧計、血糖計、体重計、体温計など）かを判断する。電子装置３が外部装置４の種類を確認すると、対応する通信プロトコルを起動し、外部装置４とコミュニケーションを行う（ステップ４４４）。電子装置３が外部装置４が理解可能な通信プロトコルを採用すると、外部装置４から必要とするデータを取得することができるようになる（ステップ４４６）
【００３７】
次に、マイクロコントロールユニット３３が外部装置４の種類に応じ、対応する１つのデータ記録ページP１を開く（ステップ４４８）。また、データ記録ページP１中の対応するフィールドに、取得したデータを記入する（ステップ４５０）。ステップ４５０の後、電子装置３は、データを一時的に保存する動作を完了する。また、表示モニタ３１に取得したデータを表示する（ステップ４５２）。ここで、電子装置３は、外部装置４中から一度に複数のデータを取得することができ、１つのデータのみに限定されない。
【００３８】
図８〜図１１を同時に参照する。図８は、本発明の第１実施形態によるデータ記録ページを示す平面図である。図９は、本発明の第２実施形態によるデータ記録ページを示す平面図である。図１０は、本発明の第３実施形態によるデータ記録ページを示す平面図である。図１１は、本発明の第４実施形態によるデータ記録ページを示す平面図である。図８に示すように、電子装置３は、例えば、体温、血圧、呼吸、血糖、血中酸素濃度、身長、体重など、複数のデータ記録ページP１を提供し、表示モニタ３１上に表示することができる。図９に示すように、電子装置３は、機種コード６２(図１２)から外部装置が体温計であることを判断すると、体温のデータ記録ページP１を自動的に開く。また、体温計中のデータを取得した後、データ記録ページP１中の対応するフィールドに自動的に記入する。
図１０に示すように、電子装置３は、機種コード６２から外部装置４が血圧計であることを判断すると、血圧のデータ記録ページP１を自動的に開く。また、血圧計中のデータを取得した後、データ記録ページP１中の対応するフィールドに自動的に記入する。図１１に示すように、電子装置３は、機種コード６２から外部装置４が身長／体重計であることを判断すると、身長／体重のデータ記録ページP１を自動的に開く。また、身長／体重計中のデータを取得した後、データ記録ページP１中の対応するフィールドに自動的に記入する。
【００３９】
一般に、体温計は、温度のデータのみであり、血圧計は、収縮期血圧、拡張期血圧及び脈拍の３つのデータを有する。このため、これらのデータを同一のページに記録すると、ユーザが混乱する虞がある。また、データによって単位が異なる（℃、kgなど）ため、同一のページに記録すると、ユーザがデータの読取を誤ってしまう虞がある。しかし、本発明においては、様々な機器のデータを分類することができるため、ユーザが混乱することがない。
【００４０】
例えば、図１２に示すように、外部装置４として、血圧計を例示する。また、血圧計は、被測定者の収縮期血圧、拡張期血圧及び脈拍の３つのデータを測定するものとする。また、電子装置３が開くデータ記録ページP１は、血圧データを記録するページであり、ページ上には、収縮期血圧、拡張期血圧及び脈拍の３つのフィールドが提供される。電子装置３が外部装置４中から上述の３つのデータを取得すると、マイクロコントロールユニット３３(図３)が３つのデータをデータ記録ページP１中の対応するフィールド上に記入する。これにより、ユーザが手動で入力する手間を省略することができる。
【００４１】
上述の外部装置４として血圧計を例示して説明する以外に、図１７においては、他の実施形態を示す。図１７は、本発明の第６実施形態による外部メッセージを読み取る状態を示す斜視図である。本実施形態においては、電力メータを外部装置４１とする。外部装置４１内には、Bluetooth（登録商標）通信ユニット、ＺigＢee通信ユニット、Ｗｉ−Ｆｉ通信ユニットなどが内蔵される。外部装置４１表面又は内部には、ＲＦＩＤタグが設置される。ＲＦＩＤタグ中には、上述の外部メッセージ５３（図１４）が記録される。
また、外部メッセージ５３中には、外部装置４１のＭＡＣアドレス６１が含まれる。電力使用量を測定する職員が外部装置４１（電力メータ）の情報を記録する必要がある場合、電子装置３を使用して外部装置４１上の外部メッセージ５３を読み取れば、電力メータの使用情報を簡単に取得し、記録することができる。当然、外部装置４１は、バーコード、文字、図形、ＱＲコード（登録商標）などを介して外部メッセージを記録することもできる。本実施形態中においては、ＲＦＩＤタグを使用した場合を例示する。
【００４２】
図１８を参照する。図１８は、本発明の第７実施形態による外部メッセージを読み取る状態を示す斜視図である。本実施形態においては、スポーツウォッチを外部装置４２とする。外部装置４２内には、Bluetooth（登録商標）通信ユニット、ＺigＢee通信ユニット、Ｗｉ−Ｆｉ通信ユニットなどが内蔵される。外部装置４２表面又は内部には、上述のＲＦＩＤタグが設置される。また、ＲＦＩＤタグ中には、上述の外部メッセージ５３が記録される。ユーザが外部装置４２を腕部に取り付けて運動する際、外部装置４２は、走行距離、総消費カロリーなど、ユーザの運動状態を記録する。ユーザが運動をし終わり、外部装置４２の情報を記録したい場合、電子装置３を使用してＲＦＩＤタグを読み取り、ＲＦＩＤタグ内に記録された外部メッセージ５３を取得すれば、外部装置４２と接続を確立する上、コミュニケーションを行うことができ、外部装置４２に記録された情報を取得することができる。
【００４３】
図１９を参照する。図１９は、本発明の第８実施形態による外部メッセージを読み取る状態を示す斜視図である。本実施形態においては、ルームランナーを外部装置４３とする。外部装置４３内には、Bluetooth（登録商標）通信ユニット、ZigBee通信ユニット、Ｗｉ−Ｆｉ通信ユニットなどが内蔵される。外部装置４３表面又は内部には、上述のＲＦＩＤタグが設置される。また、ＲＦＩＤタグ中には、上述の外部メッセージ５３が記録される。ユーザが外部装置４３を使用すると、外部装置４３は、走行距離、総消費カロリーなど、ユーザの運動状態を記録する。ユーザが運動をし終わり、外部装置４３の情報を記録したい場合、電子装置３を使用してＲＦＩＤタグを読み取り、ＲＦＩＤタグ内に記録された外部メッセージ５３を取得すれば、外部装置４２と接続を確立する上、コミュニケーションを行うことができ、外部装置４３に記録された情報を取得することができる。
【００４４】
ここで、図１２に示すように、これらの外部メッセージ５１〜５６は、ＭＡＣアドレス６１、機種コード６２及び分離符号６３を含む。本実施形態中、分離符号６３（例えば、図１２中に示す「＊＊」、空白、改行など）によってＭＡＣアドレス６１と機種コード６２とを区別することができる。さらに具体的に述べると、電子装置３に予め設けられる外部メッセージ５１〜５６中の前１２桁（６Bytes）がＭＡＣアドレス６１である。或いは、分離符号６３の前１２桁又は後１２桁をＭＡＣアドレス６１とする。分離符号６３により、電子装置３は、外部メッセージ５１〜５６中に外部装置４のＭＡＣアドレス６１が含まれるか否かを効率良く判断することができる。
【００４５】
図６を参照する。図６は、本発明の一実施形態によるデータ間に相関関係を持たせる工程を示す流れ図である。図４中のステップ３２中、電子装置３が外部メッセージ５１中に外部装置４のＭＡＣアドレス６１が含まれない（例えば、外部メッセージ５１が１２桁未満、或いは、分離符号６３が含まれない）と判断した場合、電子装置３は、外部メッセージ５１中に身分ＩＤ６４(図２０参照)が含まれるか否かを判断する（ステップ５０）。外部メッセージ５１中に外部装置４のＭＡＣアドレス６１が含まれない上、如何なる身分ＩＤ６４が含まれない場合、電子装置３は、外部メッセージ５１を処理しない。外部メッセージ５１中に１つの身分ＩＤ６４が含まれる場合、電子装置３は、一時的に保存されたデータと身分ＩＤ６４とに相関関係を持たせる（ステップ５２）。これにより、一時的に保存されたデータは、身分ＩＤ６４の所有者に属することが示される。
【００４６】
例えば、身分ＩＤ６４は、身分証番号でもよい。電子装置３は、一時的に保存された１つ又は複数のデータと身分ＩＤ６４とに相関関係を同時に持たせることができる。これにより、複数のデータは、身分証番号の所有者に属することが示される。
【００４７】
図２０を同時に参照する。図２０は、本発明の一実施形態による身分ＩＤを読み取る状態を示す斜視図である。図２０に示すように、電子装置３は、外部装置４からデータ（例えば血圧データ）を取得した後、これらのデータがどの外部装置４が生成したものかのみを知ることができるが、これらのデータが誰に属するものかを知ることはできない。そこで、電子装置３は、もう１つの外部メッセージ（例えば、図２０中に示す外部メッセージ５３）を読み取ることができる。これにより、外部メッセージ５３中から身分ＩＤ６４を取得する。外部メッセージ５３は、ＲＦＩＤタグ中に記録することができる。また、ＲＦＩＤタグは患者７の身体上に設置することができる。例えば、患者７が身分ＩＤ６４の所有者である場合、電子装置３は、外部メッセージ５３中から身分ＩＤ６４を取得した後、これらのデータと身分ＩＤ６４とに相関関係を持たせる。これにより、これらのデータ（図２０中に示す収縮期血圧、拡張期血圧、脈拍などのデータ）が患者７に属することが示される。
【００４８】
図３中に示すように、身分ＩＤ６４は、電子装置３のメモリユニット３５中に予め保存することができる。これにより、電子装置３が外部装置４から必要とするデータを取得すると、少なくとも１つの身分ＩＤ６４をユーザに提供して選択させる。ユーザが１つの身分ＩＤ６４を選択すると、電子装置３は、データと選択された身分ＩＤ６４とに相関関係を持たせる。例えば、１人の医療スタッフが１０人の患者を担当する場合、医療スタッフに支給される電子装置３中に予め１０人の患者の身分ＩＤ６４を記録又はダウンロードする。これにより、医療スタッフは、電子装置３を使用することにより、各患者のデータを取得することができる上、データと身分ＩＤ６４とに相関関係を持たせることができる。
【００４９】
他の実施形態中において、身分ＩＤ６４は、所定の部屋又は建造物に対応させることができる。例えば、人以外に、身分ＩＤ６４を部屋番号、住所などに対応させることができる。例えば、電子装置３が病室中の温度計の温度データを取得した後、当該病室を表す身分ＩＤ６４を読み取ることにより、温度データと病室の身分ＩＤ６４とに相関関係を持たせることができる。これにより、当該温度データが当該病室の温度データであることが示される。また、電子装置３が建造物の電気メータの電力使用量データを取得した後、当該建造物の身分ＩＤ６４を読み取ることにより、電力使用量と建造物の身分ＩＤ６４とに相関関係を持たせることができる。これにより、当該電力使用量が当該建造物の電力使用量データであることが示される。しかし、以上の内容は、本発明の具体的な実施形態を示すものであり、これらのみに限定されない。
【００５０】
図７を参照する。図７は、本発明の一実施形態によるデータをアップロードする工程を示す流れ図である。電子装置３がデータを取得すると、先ず、電子装置３内にデータを一時的に保存する。その後、ネットワークを介し、一時的に保存されたデータを後端のサーバ（図示せず）に定期的にアップロードする（ステップ６０）。次に、電子装置３がアップロードに成功したか否かを判断する（ステップ６２）。アップロードに失敗した場合、電子装置３は、データを一時的に保存し続ける上、再度のアップロードを待つ。データのアップロードに成功すると、電子装置３は、一時的に保存したデータを削除する（ステップ６４）。これにより、電子装置３の保存空間が節約される。
【００５１】
本発明の一実施形態中、電子装置３には、アプリケーションプログラムＡ１（Application  Program）がインストールされる。アプリケーションプログラムＡ１には、電子装置３が実行可能なプログラムコードが記録される。電子装置３にアプリケーションプログラムＡ１がロードされ、実行されると、電子装置３は、上述の非接触式外部データ取得方法を実行することができる。これにより、電子装置３は、外部装置４とBluetooth（登録商標）接続を自動的に確立する上、外部装置４に対し、必要とするデータを請求する。電子装置３が実行する非接触式外部データ取得方法は、以下（a）〜（i）のステップを含む。
【００５２】
（a）非接触方式で、外部メッセージ５１を読み取る。
【００５３】
（b）外部メッセージ５１中から外部装置４のＭＡＣアドレス６１を取得する。
【００５４】
（c）ＭＡＣアドレス６１により、外部装置４とBluetooth（登録商標）のペアリングを自動的に行う上、Bluetooth（登録商標）接続を確立する。
【００５５】
（d）外部メッセージ５１から外部装置４の機種コード６２を取得する。
【００５６】
（e）機種コード６２に基づき、外部装置４の種類を判断する。
【００５７】
（f）外部装置４の種類に基づき、対応する通信プロトコルを起動し、外部装置４とコミュニケーションを行う。
【００５８】
（g）外部装置４に対し、必要とするデータを請求する。
【００５９】
（h）機種コード６２に基づき、対応するデータ記録ページP１を開く。
【００６０】
（i）データ記録ページP１中の対応するフィールドに、外部装置４から伝送されたデータを記入する。
【００６１】
即ち、ユーザが制御ボタン３６又はタッチモニタを押圧すると、電子装置３上の非接触式読取ユニット３２が外部メッセージ５１を読み取り、電子装置３が外部装置４を自動的に検索し、外部装置４とBluetooth（登録商標）接続を確立し、外部装置４から必要とするデータを取得し、電子装置３上のデータ記録ページP１の対応するフィールドにデータを記入する。これにより、ユーザがデータを記録する際の難度を低減し、人為的ミスの発生を低減することができる。
【００６２】
以上の説明は、本発明の具体的な実施形態を示すものであり、本発明の特許請求の範囲を限定するものではない。従って、本発明の内容の同等効果である変更は、全て本発明に含まれる。
【符号の説明】
【００６３】
１  血圧計
１１  表示モニタ
２  電力メータ
２１  文字盤
３  電子装置
３１  表示モニタ
３２  非接触式読取ユニット
３２１  バーコード読取ユニット
３２２  カメラユニット
３２３  ＲＦ読取ユニット
３３  マイクロコントロールユニット
３４  Bluetooth（登録商標）通信ユニット
３５  メモリユニット
３６  制御ボタン
A１  アプリケーションプログラム
P１  データ記録ページ
C１  識別コード
４  外部装置
４１  外部装置
４２  外部装置
４３  外部装置
５１  外部メッセージ
５３  外部メッセージ
５４  外部メッセージ
５６  外部メッセージ
５６０  情報パネル
６１  ＭＡＣアドレス
６２  機種コード
６３  分離符号
６４  身分ＩＤ
７  患者
【図１】
0005453506.tif 000002
【図２】
0005453506.tif 000003
【図３】
0005453506.tif 000004
【図４】
0005453506.tif 000005
【図５】
0005453506.tif 000006
【図６】
0005453506.tif 000007
【図７】
0005453506.tif 000008
【図８】
0005453506.tif 000009
【図９】
0005453506.tif 000010
【図１０】
0005453506.tif 000011
【図１１】
0005453506.tif 000012
【図１２】
0005453506.tif 000013
【図１３】
0005453506.tif 000014
【図１４】
0005453506.tif 000015
【図１５】
0005453506.tif 000016
【図１６】
0005453506.tif 000017
【図１７】
0005453506.tif 000018
【図１８】
0005453506.tif 000019
【図１９】
0005453506.tif 000020
【図２０】
0005453506.tif 000021